(57)【要約】【課題】輸送対象物がケーシング底部へ落下しないようにする。【解決手段】前側壁１ｃに投入口１５を設け、上端部に排出シュート１７付きの排出口１６を備えたケーシング１内にてバケット１１を垂直循環できるように収納して遠心排出式のバケットエレベータを構成する。バケット１１の下部に、先端がケーシング前側壁１ｃの近傍を通過するよう垂直循環軌跡の外周側に突出する落下防止板１８を取り付ける。バケット１１とケーシング前側壁１ｃとの隙間から落下する輸送対象物１３を、落下防止板１８上に受けて上方に輸送し、ケーシング１上端部にて、バケット１１の反転時の遠心力によりバケット１１内の輸送対象物１３を排出口１６へ放出させるときに、落下防止板１８上の輸送対象物１３も、遠心力により排出口１６へ放出させて、排出シュート１７より排出させる。【選択図】　　　　図１
2004091164.tif 000002
【特許請求の範囲】
【請求項１】
バケットエレベータの各バケットの外側の下部位置に、外方へ張り出すように落下防止板を取り付けた構成を有することを特徴とするバケットエレベータの輸送対象物落下防止装置。
【請求項２】
バケットエレベータの各バケットの外側の下部位置に、垂直循環軌跡の外周側に張り出して先端が該各バケットの上昇移動時にケーシングの前側壁の近傍位置を通過するように落下防止板を取り付けてなる構成を有することを特徴とするバケットエレベータの輸送対象物落下防止装置。
【請求項３】
落下防止板を、バケットよりも左右方向に所要量突出する幅として、左右の該各突出端部を斜め上方に傾斜させた請求項１又は２記載のバケットエレベータの輸送対象物落下防止装置。
【請求項４】
落下防止板の背面をガイド面として、ケーシング上端部におけるバケット反転時に、先行するバケットに取の背面をり付けてある落下防止板の背面にて、後続のバケット及び該バケットに取り付けた落下防止板より落下する輸送対象物を排出口へ導くことができるようにした請求項１又は２記載のバケットエレベータの輸送対象物落下防止装置。
【発明の詳細な説明】
【０００１】
【発明の属する技術分野】
本発明は垂直循環するバケットにより輸送対象物を低位置から高所位置へ運び上げるために用いるバケットエレベータの輸送対象物落下防止装置に関するものである。
【０００２】
【従来の技術】
従来、セメントプラント等で、セメント原料、クリンカー等の塊状の物質や粉体を輸送対象物として低位置から高所位置、たとえば、低所フロアから高所フロアへ輸送するために用いられている装置の１つにバケットエレベータがある。
【０００３】
この種のバケットエレベータは、図６及び図７にその一例として、遠心排出式のものの概略を示す如く、上下方向に所要の高さを有するケーシング１を、上部が高所フロアＨＦを貫通してその上方へ突出するようにして低所フロアＬＦ上に立設し、該ケーシング１内の上端部の左右位置に、動力伝達軸２に所要間隔を隔てて一体に取り付けた左右一対の駆動スプロケット３を配置して、上記動力伝達軸２の両端部を、ケーシング１の左右両側壁１ａ，１ｂを貫通させて該左右両側壁１ａ，１ｂの外側に突出させて、該左右両側壁１ａ，１ｂの外側にある支持部材４上の軸受５に回転自在に支持させ、且つ上記動力伝達軸２の一端部を軸受５の外方へ更に突出させて、支持部材４上の駆動用モータ６に減速機７を介し連結してあり、又、ケーシング１の下端部の左右位置に、回転軸８に所要間隔を隔てて一体に取り付けた左右一対の従動スプロケット９を配置して、上記回転軸８の両端部を、ケーシング１の左右両側壁１ａ，１ｂを貫通させて、該左右両側壁１ａ，１ｂの外側にある上記軸受５と同様に設置してある図示しない軸受に回転自在に支持させ、左右位置で上下方向に位置している上記駆動スプロケット３と従動スプロケット９の間に、無端状のチェーン１０をそれぞれ掛け回すと共に、該各チェーン１０の所要間隔位置ごとに、左右のチェーン１０の間にて左右方向に水平に配したバケット１１の左右の両端部を、連結部材１２を介し一体に取り付けて、上記駆動用モータ６より減速機７、動力伝達軸２を介して駆動スプロケット３へ伝達される回転駆動力により、チェーン１０と一体に上記各バケット１１を垂直循環できるようにしてある。更に、該各バケット１１の上昇軌跡に臨むケーシング１の前側壁１ｃの下端部に、上方へ移動するバケット１１に向けて輸送対象物１３を投入するための供給シュート１４を有する投入口１５を備えると共に、ケーシング１の上端部において該各駆動スプロケット３に掛け回されたチェーン１０と一体に移動するバケット１１が正立状態から徐々に傾動させられて反転されるときの遠心力により該バケット１１から外周方向へ放出される輸送対象物１３を受けて外部へ排出できるようにするための排出口１６を、上記ケーシング１の後側壁１ｄの上端部に設けて、該排出口１６に排出シュート１７を取り付けてなる構成としてある。
【０００４】
上記のように構成されているので、低所フロアＬＦにて、図示しない供給部から供給シュート１４、投入口１５を通してケーシング１内に輸送対象物１３を投入することにより、該輸送対象物１３をケーシング１の前側壁１ｃに沿って正立状態で上昇移動するバケット１１に受けさせると共に、該バケット１１の上昇移動に伴って運び上げた輸送対象物１３を、ケーシング１の上端部におけるバケット１１の反転時に遠心力により排出口１６へ向けて放出させ、該排出口１６より排出シュート１７を通して高所フロアＨＦへ排出させ、これにより輸送対象物１３の上方輸送を行うことができるようにしてある。
【０００５】
【発明が解決しようとする課題】
ところが、上記従来のバケットエレベータにおいては、バケット１１と、投入口１５が設けてあるケーシング前側壁１ｃとの間には、図７に示す如く、通常、１００〜１５０ｍｍ程度の隙間ｇが設けられており、このため、投入口１５を通してケーシング１内に投入される輸送対象物１３は、上記隙間ｇから少量ずつではあるがケーシング１の底部に落下してしまい、この落下した輸送対象物１３がケーシング１の底部にて、図６に二点鎖線で示す如く、バケット１１の移動軌跡と干渉するレベルまで蓄積されるようになると、該蓄積された輸送対象物１３と垂直循環するバケット１１が接触することにより該バケット１１のエッジに摩耗が生じるという問題があり、特に、上記輸送対象物１３がセメント原料やクリンカー等の塊状物の場合には、これら輸送対象物１３と接触するとバケット１１の摩耗が激しくなるため、摩耗防止を図るにはバケット１１の循環移動速度を０．５ｍ／ｓ以下程度にまで遅くして運転せざるを得ず、このために、所定の輸送能力を確保するためには、粉体を輸送対象物１３とする場合に比してバケット１１のサイズを大きくしなければならず、このためバケットエレベータが大型化するという問題も生じる。
【０００６】
そのため従来は、ケーシング１の底部に輸送対象物１３が溜まり過ぎて運転に支障、たとえば、駆動用モータ１６のオーバーロード等の支障が生じないようにするために、ケーシング１の底部に、蓄積される輸送対象物１３の量を検知するための図示しないレベルスイッチを設けて、蓄積された輸送対象物１３の量が増えると、ケーシング１を開けて底部に蓄積された輸送対象物１３を取り除かなければならなかった。
【０００７】
そこで、本発明は、輸送対象物のケーシング底部への落下を抑制することにより、該輸送対象物のケーシング底部への蓄積を防止できて、ケーシング底部に蓄積する輸送対象物とバケットとの接触の虞を解消することによりバケットの摩耗を防止できるバケットエレベータの輸送対象物落下防止装置を提供しようとするものである。
【０００８】
【課題を解決するための手段】
本発明は、上記課題を解決するために、バケットエレベータの各バケットの外側の下部位置に、外方へ張り出すように落下防止板を取り付けた構成とし、更にバケットエレベータの各バケットの外側の下部位置に、垂直循環軌跡の外周側に張り出して先端が該各バケットの上昇移動時にケーシングの前側壁の近傍位置を通過するように落下防止板を取り付けてなる構成とする。
【０００９】
投入口からケーシング内に輸送対象物を投入して、該輸送対象物を、ケーシング前側壁に沿って上昇するバケットに受けさせるときに、該バケットとケーシング前側壁との隙間を通して輸送対象物が落下すると、該落下した輸送対象物は、バケットの下部位置よりケーシング前側壁近傍まで張り出した落下防止板上に受けられ、該落下防止板上に載せられた状態にてバケットの上昇移動に伴って上方へ移送させられる。
【００１０】
又、落下防止板の背面を、バケットよりも左右方向に所要量突出する幅として、左右の該各突出端部を斜め上方に傾斜させた構成とすることにより、落下防止板上に載せられた輸送対象物を、バケットが上昇する間に該落下防止板の左右方向の中央部付近に集めることができる。
【００１１】
更に、落下防止板の背面をガイド面として、ケーシング上端部におけるバケット反転時に、先行するバケットに取り付けてある落下防止板の背面にて、後続のバケット及び該バケットに取り付けた落下防止板より落下する輸送対象物を排出口へ導くことができるようにした構成とすることにより、誘導排出式のバケットエレベータにおける輸送対象物の落下防止に採用して有効なものとすることができる。
【００１２】
【発明の実施の形態】
以下、本発明の実施の形態を図面を参照して説明する。
【００１３】
図１乃至図３（イ）（ロ）は本発明のバケットエレベータの輸送対象物落下防止装置の実施の一形態を示すもので、図６及び図７に示したものと同様の構成において、各バケット１１の外側部の下部位置に、垂直循環軌跡の外周側に張り出すようにして落下防止板１８を設け、該落下防止板１８を、各バケット１１が正立状態でケーシング前側壁１ｃに沿って上昇移動する時に、先端がケーシング１の前側壁１ｃの近傍位置、たとえば、前側壁１ｃとの隙間が３０〜５０ｍｍ程度となる位置を通過するように、たとえば、溶接等により一体に取り付けて、輸送対象物１３を供給シュート１４から投入口１５を通してケーシング１内に投入するときに、バケット１１に受けきれずにバケット１１とケーシング前側壁１ｃとの隙間から落下してしまう輸送対象物１３を、上記落下防止板１８上に受けることができるようにする。
【００１４】
上記落下防止板１８は、先端部に、上方へ所要寸法突出するように屈曲させた屈曲部１９を備えた構成として、上記落下防止板１８上に一旦受けられた輸送対象物１３の落下防止板１８の先端側からの落下を防止するようにしてある。なお、上記屈曲部１９の高さ寸法は、輸送対象物１３のサイズに応じて設定すればよい。又、図３（ロ）に示す如く、上記落下防止板１８は、バケット１１よりも左右方向へ所要量突出する幅を有する大きさとし、且つバケット１１の左右両端部位置よりも外側となる左右の両端部をそれぞれ斜め上方へ折り曲げた構成として、上記落下防止板１８上に受けた輸送対象物１３の左右両側からの落下を防止できるようにすると同時に、該落下防止板１８上の輸送対象物１３を、バケット１１が正立状態、すなわち、上昇移動している間に中央方向に寄せて、バケット１１の輸送対象物受入側の側壁部（垂直循環軌跡の外側壁部）１１ａの外側に集めることができるようにする。
【００１５】
その他の構成は図６及び図７に示したものと同様であり、同一のものには同一符号が付してある。
【００１６】
本発明のバケットエレベータの輸送対象物落下防止装置は、上記構成としてあるので、バケットエレベータを用いて輸送対象物１３の上方輸送を行うべく、従来と同様に図示しない供給部から供給される輸送対象物１３を供給シュート１４、投入口１５を通してケーシング１内に投入すると、該投入される輸送対象物１３は、その大部分がバケット１１に受け入れられ、該バケット１１に受けられた輸送対象物１３は、従来と同様に、バケット１１の上昇移動によりケーシング１の上端部まで運び上げられた後、バケット１１が傾動、反転されるときに作用する遠心力により排出口１６へ向けて放出され、該排出口１６、排出シュート１７を通して外部へ排出される。この際、上記投入口１５よりケーシング１内に投入される輸送対象物１３のうちの少量が、バケット１１とケーシング前側壁１ｃとの隙間を通って落下すると、該落下した輸送対象物１３は、該バケット１１の下部位置に設けられている落下防止板１８上に受けられるようになる。上記落下防止板１８上に載せられた輸送対象物１３は、バケット１１の上昇移動に伴って上方へ輸送され、この間にバケット１１が正立状態の間に落下防止板１８の中央部付近に集められ、しかる後、ケーシング１の上端部にて、バケット１１と一体に落下防止版１８が傾動、反転されると、この反転時に作用する遠心力により、上記落下防止板１８上に載せられていた輸送対象物１３は、排出口１６へ向けて放出させられ、これにより、バケット１１内に受けられて搬送された輸送対象物１３と同様に、排出シュート１７より排出されるようになる。
【００１７】
このように、上記本発明のバケットエレベータの輸送対象物落下防止装置によれば、バケット１１とケーシング前側壁１ｃとの隙間から落下する輸送対象物１３を、落下防止板１８上に受けて排出シュート１７まで搬送することができることから、輸送対象物１３のケーシング１内底部への落下を防止でき、したがって、輸送対象物１３がケーシング１内底部に蓄積されてバケット１１と干渉するということを未然に防止できることから、バケット１１のエッジが摩耗するということを防止できる。又、バケット１１の摩耗の影響を考えずにバケット１１の循環移動速度を設定できるようになることから、該移動速度を、たとえば、１．３ｍ／ｓ以上にまで高めることが可能になり、このために、所定の輸送能力を確保する場合に、バケット１１のサイズを、輸送対象物１３を粉体とする場合と同等かもしくはそれより小さいサイズにすることが可能となり、バケットエレベータ全体の小型化を図ることができ、又、従来と同様のサイズのバケットを使用すれば、輸送能力を増加させることが可能になる。
【００１８】
次に、図４は本発明の実施の他の形態を示すもので、図１乃至図３（イ）（ロ）に示した実施の形態と同様な構成において、ケーシング１の上下位置に左右一対の駆動スプロケット３と従動スプロケット９を設けて、該上下の各スプロケット３，９間に掛け回してある左右のチェーン１０の所要間隔位置ごとに、バケット１１の左右両端部を連結部材１２を介してそれぞれ一体に連結した構成に代えて、ケーシング１の上下位置における左右方向の中央部に、駆動スプロケット３と従動スプロケット９をそれぞれ配置して、該各スプロケット３，９に一本のチェーン１０を掛け回し、該チェーン１０の所要間隔位置ごとの垂直循環軌跡の外周側に、図１乃至図３（イ）（ロ）に示したバケット１１と同様に落下防止板１８を取り付けてなるバケット１１を配置して、該各バケット１１の左右方向中央部を、連結部材２０を介して上記チェーン１０に一体に取り付けた構成としたものである。その他の構成は図１乃至図３（イ）（ロ）に示したものと同様であり、同一のものには同一符号が付してある。
【００１９】
本実施の形態によっても、バケット１１とケーシング前側壁１ｃとの隙間を通して落下する輸送対象物１３を、上記バケット１１に取り付けた落下防止板１８上に受けて、ケーシング１の底部へ落下させることなく排出シュート１７まで上方輸送して排出できるため、図１乃至図３（イ）（ロ）に示した実施の形態と同様の効果を得ることができ、更に、駆動及び従動スプロケット３，９とチェーン１０の数を減らすことができるため、あまり重くない物体を輸送対象物１３とする場合に、バケット１１を小型化して装置全体の小型化を図るのに有利なものとすることができる。
【００２０】
次いで、図５（イ）（ロ）は本発明の実施の更に他の形態を示すもので、バケット１１の下部に、図１乃至図３（イ）（ロ）に示した実施の形態における落下防止板１８と同様に、垂直循環軌跡の外周側に張り出して、該各バケット１１が正立状態でケーシング前側壁１ｃに沿って上方移動する時に、先端がケーシング１の前側壁１ｃの近傍位置を通過するようにした落下防止板２１を一体に取り付けて設けた構成とし、且つ該落下防止板２１の背面をガイド面として、ケーシング１の上端部にてバケット１１の反転に伴って落下防止板２１が一体に反転するときに、上面側となる背面２１ａにて、後続のバケット１１及び該バケット１１に取り付けた落下防止板２１より落下する輸送対象物１３を排出口１６へ導くことができるようにしたものである。
【００２１】
詳述すると、上記落下防止板２１は、バケット１１よりも左右方向に所要量突出する幅を備えると共に、バケット１１と一体に反転するときに背面２１ａに沿い輸送対象物１３を先端側へ案内できるように該先端側が所要角度下方傾斜するようにバケット１１に対する取付角度を設定するようにするか、あるいは、背面２１ａのみを同様の傾斜となるような構成とする。更に、背面２１ａ側に、輸送対象物１３を幅方向中央部に向けてガイドするガイド部材２２を設けて、反転時に後続のバケット１１及び該バケット１１の落下防止板２１から落下する輸送対象物１３を背面２１ａ側に受けたときに、上記ガイド部材２２にて幅方向中央部へガイドすることにより、排出口１６へ効率よく誘導できるようにしてある。
【００２２】
その他、図１乃至図３（イ）（ロ）に示したものと同一のものには同一符号を付してある。
【００２３】
本実施の形態によれば、図１乃至図３（イ）（ロ）に示した実施の形態と同様に、バケット１１とケーシング前側壁１ｃとの隙間を通して落下する輸送対象物１３を、上記バケット１１に取り付けた落下防止板２１上に受けて、ケーシング１の底部へ落下させることなく上方へ輸送でき、その後、ケーシング１の上端部においてバケット１１を反転させると、後続のバケット１１及び該バケット１１に取り付けられた落下防止板２１から落下排出される輸送対象物１３を、先行するバケット１１に取り付けられている落下防止板２１の背面２１ａに受けさせて排出口１６へ導き排出させることができる。この実施の形態は、チェーン１０に対する各バケット１１の取付ピッチを短く設定すると共に、遠心排出式よりは遅い速度にてバケット１１を循環させることにより実施可能であり、ケーシング１の上端部にて反転する先行のバケット１１の背部を利用して後続のバケット１１より落下排出される輸送対象物１３を排出口１６へ誘導する形式の誘導排出式のバケットエレベータにおける輸送対象物の落下防止に適用できる。
【００２４】
なお、本発明は上記実施の形態のみに限定されるものではなく、ケーシング１の下端部に駆動スプロケット３を配置し且つ上端部に従動スプロケット９を配置するようにしてもよいこと、バケット１１で輸送すべき輸送対象物１３としては、セメント原料やクリンカー以外のものであってもよく、セメントプラント以外で用いる他のいかなる物体を輸送対象物１３とするバケットコンベヤーにも適用できること、その他、本発明の要旨を逸脱しない範囲内において種々変更を加え得ることは勿論である。
【００２５】
【発明の効果】
以上述べた如く、本発明のバケットエレベータの輸送対象物落下防止装置によれば、以下の如き優れた効果を発揮する。
（１）バケットエレベータの各バケットの外側の下部位置に、外方へ張り出すように落下防止板を取り付けた構成、更に、バケットエレベータの各バケットの外側の下部位置に、垂直循環軌跡の外周側に張り出して先端が該各バケットの上昇移動時にケーシングの前側壁の近傍位置を通過するように落下防止板を取り付けてなる構成としてあるので、バケットとケーシング前側壁との隙間から落下する輸送対象物を、落下防止板上に受けて排出部まで搬送することができ、このため輸送対象物のケーシング内底部への落下を防止できて、輸送対象物がケーシングの底部に蓄積される虞を防止して、ケーシングの底部に蓄積される輸送対象物とバケットが干渉することを未然に防止できることから、バケットのエッジの摩耗を防止できる。
（２）バケットの摩耗の影響を考えずにバケットの循環移動速度を設定できるようになることから、該移動速度を速めることが可能になり、このため所定の輸送能力を確保する場合に、バケットのサイズを小型化できて、バケットエレベータ全体の小型化を図ることができ、又、従来と同様のサイズのバケットを使用すれば、輸送能力を増加させることが可能になる。
（３）落下防止板を、バケットよりも左右方向に所要量突出する幅として、左右の該各突出端部を斜め上方に傾斜させた構成とすることにより、落下防止板上に載せられた輸送対象物を、バケットが上昇する間に該落下防止板の左右方向の中央部付近に集めることができる。
（４）落下防止板の背面をガイド面として、ケーシング上端部におけるバケット反転時に、先行するバケットに取り付けてある落下防止板の背面にて、後続のバケット及び該バケットに取り付けた落下防止板より落下する輸送対象物を排出口へ導くことができるようにした構成とすることにより、誘導排出式のバケットエレベータにおける輸送対象物の落下防止に採用して有効なものとすることができる。
【図面の簡単な説明】
【図１】本発明のバケットエレベータの輸送対象物落下防止装置の実施の一形態を示す概略切断側面図である。
【図２】図１におけるＡ−Ａ方向矢視図である。
【図３】図１の装置における１つのバケット部分を拡大して示すもので、（イ）は切断側面図、（ロ）は（イ）のＢ−Ｂ方向矢視図である。
【図４】本発明の実施の他の形態を示す図２に対応する図である。
【図５】本発明の実施の更に他の形態を示すもので、（イ）はケーシング上端部にて反転したバケット部分を拡大して示す側面図、（ロ）は（イ）のＣ−Ｃ方向矢視図である。
【図６】従来のバケットエレベータの一例の概略を示す切断側面図である。
【図７】図６のＤ−Ｄ方向矢視図である。
【符号の説明】
１　ケーシング
１ｃ　前側壁
３　駆動スプロケット
９　従動スプロケット
１０　チェーン
１１　バケット
１１ａ　外側壁部
１３　輸送対象物
１４　供給シュート
１５　投入口
１６　排出口（排出部）
１７　排出シュート（排出部）
１８，２１　落下防止板
２１ａ　背面
【図１】
2004091164.tif 000003
【図２】
2004091164.tif 000004
【図３】
2004091164.tif 000005
【図４】
2004091164.tif 000006
【図５】
2004091164.tif 000007
【図６】
2004091164.tif 000008
【図７】
2004091164.tif 000009